(57)【要約】【課題】安価で、かつ、錆によるボンベの爆発や破裂などを生じにく安全性の高い消火器を提供すること。【解決手段】  ボンベ１は、底部材１０１と、筒部材１０２とを有している。底部材１０１及び筒部材１０２は、共に、鉄を主成分とする金属材料で構成されている。筒部材１０２は、底部側が抜けた筒状であって、その底部側の内部に底部材１０１が嵌めこまれ、嵌め込み部分の外周部がステンレス溶接WL1されている。【選択図】図２
2011120620.tif 000002
【特許請求の範囲】
【請求項１】
消火剤を収納するボンベを有する消火器であって、
前記ボンベは、筒部材と、底部材とを含んでおり、
前記筒部材及び底部材は、鉄を主成分とする金属材料で構成され、前記底部材が前記筒部材の底部側に嵌めこまれ、嵌め込み部分の外周部がステンレス溶接されている、
消火器。
【発明の詳細な説明】
【技術分野】
【０００１】
本発明は、消火器に関する。
【背景技術】
【０００２】
消火器は、使用する消火薬剤、薬剤の放射方式、形態などにより、いくつかに分類される。例えば、消火薬剤による分類としては、特許文献１にも開示されているように、ＡＢＣ粉末消火器、化学泡消火器、二酸化炭素消火器、ハロゲン化物消火器等がある。これらの消火器のうち、現在一般的に普及している消火器はＡＢＣ粉末消火器である。粉末消火器は、消火の原則の内の３つ、即ち、冷却作用、窒息作用、抑制作用の応用により消火する。Ａは普通火災で、第一消火試験で1以上（大型消火器は１０以上）、Ｂは油火災を言い第二・第三消火試験で1以上（大型消火器は２０以上）の数値が能力単位を示す。Ｃは電気火災を表し数値はない。
【０００３】
ところで、この種の消火器では、一般に、消化薬剤を封入する鉄製のボンベを有する。消火器のボンベには耐圧性が要求され、肉厚が厚くなるから、例えば絞り加工などによっては製造することができない。そこで、通常、ボンベの主要部となる鉄製の筒部材の底部側に、鉄製の底部材を嵌め込み、嵌め込み部分の外周部を溶接した構造となっている。筒部材及び底部材は、鉄製であるから、溶接の一般的な技術常識として、筒部材及び底部材は鉄溶接によって接合する。
【０００４】
ボンベを鉄製とするのは、消火器全体としてのコストダウンを図るためである。ところが、最近、上述した鉄製ボンベが破裂し、人身事故を招いた事例が複数発生している。鉄製ボンベの破裂は、主として、筒部材と底部材との溶接部分で発生し、溶接部分の錆が原因であることが突き止められている。上記問題を解決する手段として、錆止め塗装をするなどの手段がとられているが、このような手段を講じても、上述した錆の進行は、食い止めることができない。錆は、水を多量に使用する食品製造現場や、化学薬品を取り扱う現場に設置された消火器で特に問題となる。
【０００５】
鉄製ボンベの錆による破裂を防止する手段として、ボンベを、ステンレスによって構成することも考えられるが、ステンレス製のボンベは、鉄製ボンベの場合に比較して、著しいコスト上昇を招いてしまい、市場性・工業的利用性が失われる。
【０００６】
更に、普通の消火器であれば８年で交換することが望ましいとされているが、そのような好ましい交換が、常に実行されるとは限らない。しかも、消火器の置かれた環境によっては、８年以内であっても、ボンベ破裂に到ることがある。さらに、住宅に設置された消火器には、そもそも点検義務が無い。このような背景から、ボンベ破裂事故が後を絶たない。実際、最近でも、ボンベ破裂による痛ましい人身事故が相次いで発生しており、ボンベ破裂防止は、消火器における喫緊の課題である
【先行技術文献】
【特許文献】
【０００７】
【特許文献１】特開平５−３２９２２１号公報
【発明の概要】
【発明が解決しようとする課題】
【０００８】
本発明の課題は、安価で、かつ、錆によるボンベの爆発や破裂などを生じにく安全性の高い消火器を提供することである。
【課題を解決するための手段】
【０００９】
上述した課題を解決するため、本発明に係る消火器は、消火剤を収納するボンベを有する。前記ボンベは、筒部材と、底部部材とを含んでいる。前記筒部材及び底部材は、鉄を主成分とする金属材料で構成され、前記底部材が前記筒部材の底部側に嵌めこまれ、嵌め込み部分の外周部がステンレス溶接されている。
【００１０】
上述したように、本発明に係る消火器では、ボンベを構成する筒部材及び底部材が、鉄を主成分とする金属材料でなるから、ボンベをステンレスによって構成する場合と対比して、安価になる。
【００１１】
しかも、底部材が筒部材の底部側に嵌めこまれ、嵌め込み部分の外周部がステンレス溶接されているから、錆の進行しにくい溶接構造が実現される。従って、ボンベの爆発や破裂などを生じにくい安全性の高い消火器が得られる。
【発明の効果】
【００１２】
以上述べたように、本発明によれば、安価で、ボンベの爆発や破裂などを生じにくい安全性の高い消火器を提供することができる。
【００１３】
本発明の他の目的、構成及び利点については、添付図面を参照し、更に詳しく説明する。添付図面は、単に、例示に過ぎない。
【図面の簡単な説明】
【００１４】
【図１】本発明の一実施形態に係る消火器の正面部分断面図である。
【図２】図１に示した消火器の第１溶接部分を拡大して示す断面図である。
【発明を実施するための形態】
【００１５】
本発明は、鉄製ボンベを有し、ボンベ爆発・破裂の危険性が潜在する消火器に広く適用することができる。例えば、先に挙げたＡＢＣ粉末消火器、化学泡消火器、二酸化炭素消火器、ハロゲン化物消火器等は、その例である。ここでは、一例として、特許文献１に開示されたものを例示する。
【００１６】
図１を参照すると、ボンベ１の内部には、消化剤（液）２が入っている。ボンベ１の上部には、ホルダ３が固定されている。ホルダ３の下部には、封止板５がネジ４で固定されシールされている。封止板５の上にはガス導入弁装置６があり、その上に二酸化炭素ガスボンベ７が設置されている。
【００１７】
使用しない時は、安全ストッパ９が握り部８とレバー１０の間に固定されており、不用意にレバー１０により二酸化炭素ガスボンベ７が押し下げられないようになっている。使用する時は、安全ピン１１を上方に引き抜き、安全ストッパ９を、弁開閉棒１３を軸にして回し、握り部８およびレバー１０の間からどけ、レバー１０と握り部８とを一緒に強く握る。すると、レバーピン１２を支点に二酸化炭素ガスボンベ７が押し下げられ、二酸化炭素ガスボンベ７の封止板５を突き破り、ガス導入弁装置６内を通って二酸化炭素ガスボンベ７内の二酸化炭素ガスがボンベ１の内部に放出され、消火剤に溶けるとともにボンベ１を加圧する。
【００１８】
さらに、強くレバー１０を握ると、二酸化炭素ガスボンベ７を支点にしてバネ１４で下方に押さえられている弁開閉棒１３を引き上げ、純水噴出弁装置であるシール弁１５が開き、加圧された消火剤がサイホン管１６、ホース１７を通って放出ノイズ１８から放射される。このとき、放出ノズル１８をノズル固定部１９から離して消火対象物に向けると、消火対象物に二酸化炭素ガスを含む消火剤をかけることができ、消火することができる。
【００１９】
本発明に係る消火器において、ボンベ１は、底部材１０１と、筒部材１０２と、上部材１０３とを有している。底部材１０１、筒部材１０２および上部材１０３は、共に、鉄を主成分とする金属材料で構成されている。即ち、本発明に係る消火器は、鉄製ボンベを用いる。
【００２０】
ボンベの主要部分を構成する筒部材１０２は、底部側が抜けた筒状であって、その底部側の内部に底部材１０１が嵌めこまれ、嵌め込み部分の外周部がステンレス溶接WL1されている。これにより、筒部材１０２の底部が底部材１０１によって閉じられる。溶接技術の常識に従えば、母材と同一の材料を用いて溶接を行うのが普通である。底部材１０１及び筒部材１０２が共に鉄を主成分とする金属材料で構成されているのであれば、鉄溶加棒などを用いて溶接するのが技術常識である。本発明は、この溶接の技術常識から飛躍し、本来、鉄溶接をすべきところをステンレス溶接WL1としたものである。
【００２１】
実施の形態では、底部材１０１は、下端側が開き、上端側が閉じた筒状体であって、外径が小径の上半部１１１と、外径が大径の下半部１１２を有する段付状となっている。上半部１１１の外周面及び下半部小径１１２の外周面は、傾斜面１１３を介して連続している。
【００２２】
底部材１０１は、上半部１１１が、筒部材１０２の底部側に開いている開口部を通して、その内部に嵌めこまれ、その外周面が筒部材１０２の内周面に面接触している。一方、筒部材１０２は、その端部１１４が傾斜面１１３に突き当たり、その位置で位置決めされる。位置決めされた状態では、筒部材１０２の端部１１４と傾斜面１１３との間にリング状のスペースが生じる。ステンレス溶接WL1はこのスペースを埋めるよう実行される。この場合の溶接は、ステンレス溶加棒を用いたアルゴン溶接が適している。筒部材１０２と上部材１０３との間の溶接部WL2（図１参照）も、好ましくは、ステンレス溶接とする。
【００２３】
上述したように、本発明に係る消火器では、ボンベを構成する筒部材１０２及び底部材１０１が、鉄を主成分とする金属材料でなるから、ボンベをステンレスによって構成した場合と対比して、安価になる。
【００２４】
しかも、底部材１０１が筒部材１０２の底部側に嵌めこまれ、嵌め込み部分の外周部がステンレス溶接WL1されているから、錆の進行しにくい溶接構造が実現される。過去の消火器破裂・爆発事故の事例は、底部材１０１と筒部材１０２との溶接部分に生じた錆が原因となって、底部材１０１が消火剤の圧力によって、あたかも、ロケット弾のように飛び出してしまうもの、と教示している。本発明では、消火器破裂・爆発事故の生じやすい底部材１０１と筒部材１０２との溶接をステンレス溶接WL1としたから、問題となっている底部材１０１と筒部材１０２との溶接部分において、ボンベの爆発や破裂などを生じにくい安全性の高い消火器が得られる。
【００２５】
以上のように、本発明によれば、ボンベを構成する筒部材１０２及び底部材１０１を、鉄を主成分とする金属材料で構成したことによるコストダウンの利益とともに、ボンベの爆発や破裂などを生じにくい安全性の高い消火器が得られる。即ち、本発明は、コストダウンと、錆による問題点解決とを、同時に達成することができる点に、その最大の特徴がある。
【００２６】
以上、好ましい実施例を参照して本発明の内容を具体的に説明したが、本発明の基本的技術思想及び教示に基づいて、当業者であれば、種種の変形態様を採り得ることは自明である。例えば、ボンベ１の溶接部分には、縦軸の方向に沿って、直線状に延びるようなものが含まれていてもよい。
【符号の説明】
【００２７】
１              ボンベ
１０１              底部材
１０２              筒部材
２              消火剤
ＷＬ１              ステンレス溶接部分
【図１】
2011120620.tif 000003
【図２】
2011120620.tif 000004
【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
消火剤を収納するボンベを有する消火器であって、
前記ボンベは、筒部材と、底部材とを含んでおり、
前記筒部材及び底部材は、鉄で構成され、前記底部材が前記筒部材の底部側に嵌めこまれ、嵌め込み部分の外周部がステンレス溶接されており、更に、
前記底部材は、閉じた筒状体であって、外径が小径の上半部と、外径が大径の下半部とを有する段付状となっていて、前記上半部の外周面及び前記下半部小径の外周面は、傾斜面を介して連続し、前記上半部が、前記筒部材の底部側に開いている開口部を通して、その内部に嵌めこまれており、
前記筒部材は、その端部が前記傾斜面に突き当たり、その位置で位置決めされ、位置決めされた状態では、前記筒部材の前記端部と前記傾斜面との間にリング状のスペースが生じており、
前記ステンレス溶接は、前記スペースを埋めている、
消火器。
【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
消火剤を収納するボンベを有する消火器であって、
前記ボンベは、筒部材と、底部材とを含んでおり、
前記筒部材及び底部材は、鉄で構成され、前記底部材が前記筒部材の底部側に嵌めこまれ、嵌め込み部分の外周部がステンレス溶接されており、更に、
前記底部材は、上端側が閉じた筒状体であって、外径が小径の上半部と、外径が大径の下半部とを有する段付状となっていて、前記上半部の外周面及び前記下半部小径の外周面は、傾斜面を介して連続し、前記上半部が、前記筒部材の底部側に開いている開口部を通して、その内部に嵌めこまれており、
前記筒部材は、その端部が前記傾斜面に突き当たり、その位置で位置決めされ、位置決めされた状態では、前記筒部材の前記端部と前記傾斜面との間にリング状のスペースが生じており、
前記ステンレス溶接は、前記スペースを埋めている、
消火器。